(57)【要約】      （修正有）【課題】表示装置に備えた編集入力部によってコンテンツを編集することが可能な電子情報表示装置を提供する。【解決手段】サーバー１０と表示装置２０により構成され、サーバー１０は、複数のコンテンツを記憶するコンテンツ記憶部１１と、表示装置２０からコンテンツの送信依頼を受信する受信部と、送信依頼されたコンテンツを表示装置へ送信する送信部を備え、表示装置２０は、表示部２３と、サーバーからコンテンツを受信する受信部と、サーバーから受信したコンテンツを表示装置に表示させる表示制御部２２と、表示するコンテンツの識別情報を入力するコンテンツ情報入力部と、コンテンツの表示を制御するスケジュール情報を編集するスケジュール編集部２６と、表示するコンテンツの送信依頼をサーバーへ送信する送信部とを備える。【選択図】図１
2011034193.tif 000002
【特許請求の範囲】
【請求項１】
サーバーと表示装置により構成され、
前記サーバーは、複数のコンテンツを記憶するコンテンツ記憶部と、前記表示装置からコンテンツの送信依頼を受信する受信部と、前記送信依頼されたコンテンツを表示装置へ送信する送信部を備え、
前記表示装置は、表示部と、前記サーバーからコンテンツを受信する受信部と、前記サーバーから受信したコンテンツを表示装置に表示させる表示制御部と、表示するコンテンツの識別情報を入力するコンテンツ情報入力部と、前記コンテンツの表示を制御するスケジュール情報を編集するスケジュール編集部と、前記表示するコンテンツの送信依頼を前記サーバーへ送信する送信部と
を備えることを特徴とする電子情報表示装置。
【請求項２】
前記コンテンツ情報入力部は、バーコードリーダ、ＲＦＩＤ、ＩＣカード、タッチパネルまたはキーボードよりなる請求項１に記載の電子情報表示装置。
【請求項３】
前記スケジュール編集部は、コンテンツの新規表示、削除、代替表示、追加表示の少なくとも１つを含むスケジュール情報を編集する請求項１に記載の電子情報表示装置。
【請求項４】
前記コンテンツは、少なくとも商品の広告、宣伝または広報を行うための静止画像または動画像を含む請求項１に記載の電子情報表示装置。
【請求項５】
複数のコンテンツを記憶するコンテンツ記憶部と、前記表示装置からコンテンツの送信依頼を受信する受信部と、前記送信依頼されたコンテンツを表示装置へ送信する送信部とを備えるサーバーを備えることを特徴とする電子情報表示装置。
【請求項６】
表示部と、前記サーバーからコンテンツを受信する受信部と、前記サーバーから受信したコンテンツを表示装置に表示させる表示制御部と、表示するコンテンツの識別情報を入力するコンテンツ情報入力部と、前記コンテンツの表示を制御するスケジュール情報を編集するスケジュール編集部と、前記表示するコンテンツの送信依頼を前記サーバーへ送信する送信部とを備える表示装置
を備えることを特徴とする電子情報表示装置。
【請求項７】
コンピュータによって
表示装置に表示するコンテンツの識別情報を入力するコンテンツ情報入力ステップと、
前記表示するコンテンツの送信依頼をサーバーへ送信する送信ステップと、
サーバーがコンテンツの送信依頼を受信し、コンテンツ記憶部から読み出して、前記送信依頼されたコンテンツを表示装置へ送信するコンテンツ送信ステップ、
前記サーバーからコンテンツを受信するコンテンツ受信ステップと、
前記コンテンツを表示装置に表示させる表示ステップ
を実行することを特徴とする電子情報表示方法。
【発明の詳細な説明】
【技術分野】
【０００１】
この発明は、店舗、売り場、病院、街頭、広場や駅などに設置された表示装置に情報を表示させる電子情報表示装置に関し、特に表示装置から編集情報を入力することが可能である電子情報表示装置に関する。
【背景技術】
【０００２】
店舗、売り場、病院、街頭、広場や駅などに表示装置を設置し、電子ＰＯＰ(Point of   Purchase)広告によって、商品の販売促進或いは広報や案内が行われている。電子ＰＯＰ広告システムとして、放送型と通信型がある。
放送型ＰＯＰシステムは、サーバーから表示スケジュールが送信され、表示スケジュールに従って全ての表示装置が同じコンテンツを同時に表示する。そのため、例えば、ある店舗または売り場では売り切れになった商品を繰り返し表示したり、価格変更する前の価格を繰り返し表示したり、休診の診療科目を繰り返し表示したりしてしまい、店舗、売り場、病院、街頭、広場や駅など表示装置の設置場所の事情に合せた表示が行われず、不都合な場合がある。また、店舗、売り場、病院、街頭、広場や駅などに設置した表示装置によって、広告、広報または案内したいことがタイミングよく行われないことがある。
通信型ＰＯＰシステムは、顧客にバーコードのような商品コードを入力させて、その商品に対応する商品コンテンツを表示させるものであるが、通信型ＰＯＰシステムは顧客の要求に応じて商品コンテンツを表示するだけであり、単なるカタログとしての機能しかなく、１対１の情報伝達しか行われないので、広告効率が悪い。
【０００３】
ＰＯＰ広告システムは、例えば特許文献１及び２により公知である。
特許文献１は、商品に付されたＲＦＩＤ(Radio Frequency IDentification)タグに記録された識別情報を読取り、その識別情報に対応する商品コンテンツをデータベースから読み出して表示装置に表示させるものである。より詳細には、商品に付されたＲＦＩＤタグをＲＦＩＤリーダで読取り、商品の識別情報を取得して、識別情報と商品コンテンツを記録している商品情報データベースから、ＲＦＩＤリーダで読取った識別情報に基づき、商品コンテンツを取得して、これを表示装置に表示するものである。
また、特許文献２は、店頭の表示装置に顧客が希望する全ての商品の商品情報を表示し、顧客の商品購入を支援するものである。そのため各メーカは商品に関する商品情報をサーバーに登録し、商品のバーコード情報と対応付けてデータベースに格納する。顧客が所望の商品を取り出してバーコードをバーコードリーダに近づけると、バーコードが読取られ、そのバーコード情報に基づいてデータベースを検索し、商品情報を抽出して表示装置に表示するものである。
【先行技術文献】
【特許文献】
【０００４】
【特許文献１】特開２００６−３０４４４号公報
【特許文献２】特開２００３−１７３３４６号公報
【発明の開示】
【発明が解決しようとする課題】
【０００５】
上記のようにサーバーから表示スケジュールが送信され、それを表示装置でコンテンツを表示する場合は、個々の端末側表示装置でコンテンツを変更することができないので、不便であった。またバーコード、ＲＦＩＤタグまたはＩＣカードを読取り、その商品に対応する商品コンテンツを表示させる場合は、顧客の要求に応じて商品コンテンツを表示するだけであり、広告効率が悪かった。
本発明はこのような課題を解決するものであり、表示装置に編集入力部を備え、表示スケジュールまたはコンテンツの少なくとも一部を編集することが可能な電子情報表示装置及び電子情報表示方法を提供するものである。
【課題を解決するための手段】
【０００６】
本発明の電子情報表示装置は、上記課題を解決するため、サーバーと表示装置により構成され、前記サーバーは、複数のコンテンツを記憶するコンテンツ記憶部と、前記表示装置からコンテンツの送信依頼を受信する受信部と、前記送信依頼されたコンテンツを表示装置へ送信する送信部を備え、前記表示装置は、表示部と、前記サーバーからコンテンツを受信する受信部と、前記サーバーから受信したコンテンツを表示装置に表示させる表示制御部と、表示するコンテンツの識別情報を入力するコンテンツ情報入力部と、前記コンテンツの表示を制御するスケジュール情報を編集するスケジュール編集部と、前記表示するコンテンツの送信依頼を前記サーバーへ送信する送信部とを備えることを特徴とする。
【０００７】
ここで、コンテンツは、店舗、売り場、病院、街頭、広場や駅などに設置された表示装置に表示させ、商品の広告、宣伝または広報を行うための静止画像または動画像である。これら画像以外に、商品の製造場所、生産地、生産者、原材料、成分表、カロリー、流通経路またはクーポンの有無などの情報であってもよい。また、スケジュール情報は上記コンテンツの表示順序、または表示時間を設定する情報である。また、コンテンツ情報入力部は、バーコードリーダ、ＲＦＩＤ、ＩＣカード、タッチパネル、またはキーボードよりなり、例えば商品に付属されたバーコード、ＲＦＩＤ、ＩＣカードを読取るリーダ、あるいはタッチパネル、キーボードのような入力手段である。またスケジュール編集部は、コンテンツの新規表示、削除、代替表示、追加表示の少なくとも１つを含む編集情報をスケジュール情報に編集する部分である。
これにより、表示装置からサーバーへ必要なコンテンツを要求して、これを受信し、表示装置はサーバーから受信したコンテンツをスケジュール情報に従って表示する。ここで、表示装置はコンテンツ情報入力部と、前記コンテンツの表示を制御するスケジュール情報を編集するスケジュール編集部を備え、コンテンツ情報入力部によって表示装置に表示したいコンテンツを決定し、スケジュール編集部によってコンテンツの新規表示、削除、代替表示、追加表示の何れか１つを含む編集情報をスケジュール情報に編集することが可能である。表示装置は上記スケジュール情報に基づいてコンテンツを自動的に順次または時間制御して表示する。従って、表示装置によって予め編集したスケジュール情報とコンテンツにより効率のよい広告或いは広報が実施されると同時に、必要に応じて表示装置の入力部から入力したコンテンツ情報及び編集情報に従ってコンテンツが表示される。このようにして、個々の端末側表示装置はコンテンツを編集することができる。これにより、電子情報表示装置の各設置場所の事情に合せた表示がタイミングよく行われる。
【０００８】
また、本発明は、上記課題を解決するため、別の観点では、サーバーを備える電子情報表示装置であり、サーバーは、複数のコンテンツを記憶するコンテンツ記憶部と、前記表示装置からコンテンツの送信依頼を受信する受信部と、前記送信依頼されたコンテンツを表示装置へ送信する送信部とを備えるサーバーを備えることを特徴とする。
このように、サーバーは、表示装置からコンテンツの送信依頼を受信し、送信依頼されたコンテンツを表示装置へ送信するので、表示装置は大容量のコンテンツを記憶する必要がなく、表示したいコンテンツをサーバーに要求することにより必要なコンテンツを取得できる。従って、表示装置は設置場所の事情に合せた表示を行うことが可能になる。
【０００９】
また、上記課題を解決するため、別の観点では、本発明は、表示装置を備える電子情報表示装置であり、表示装置は、表示部と、前記サーバーからコンテンツを受信する受信部と、前記サーバーから受信したコンテンツを表示装置に表示させる表示制御部と、表示するコンテンツの識別情報を入力するコンテンツ情報入力部と、前記コンテンツの表示を制御するスケジュール情報を編集するスケジュール編集部と、前記表示するコンテンツの送信依頼を前記サーバーへ送信する送信部とを備えることを特徴とする。
このように、表示装置はコンテンツ情報編集入力部とスケジュール編集部を備えるので、コンテンツの新規表示、削除、代替表示、追加表示するように編集することが可能になる。
【００１０】
また、本発明は、上記課題を解決するため、別の観点では、電子情報表示方法であり、コンピュータによって、表示装置に表示するコンテンツの識別情報を入力するコンテンツ情報入力ステップと、前記表示するコンテンツの送信依頼をサーバーへ送信する送信ステップと、サーバーがコンテンツの送信依頼を受信し、コンテンツ記憶部から読み出して、前記送信依頼されたコンテンツを表示装置へ送信するコンテンツ送信ステップ、前記サーバーからコンテンツを受信するコンテンツ受信ステップと、前記コンテンツを表示装置に表示させる表示ステップを実行することを特徴とする。
これにより、個々の端末側表示装置に対応したコンテンツを表示することができる。
【発明の効果】
【００１１】
本発明によれば、表示装置に備えた編集入力部によって、スケジュール情報またはコンテンツの少なくとも一部を編集することが可能な電子情報表示装置及び電子情報表示方法が提供される。
【図面の簡単な説明】
【００１２】
【図１】本発明の電子情報表示装置のブロック図を示す。
【図２】本発明の電子情報表示装置によって作成されるスケジュール情報のフォーマット図を示す。
【図３】本発明の電子情報表示装置によって作成される編集情報のフォーマット図を示す。
【図４】本発明の電子情報表示装置によって編集情報が新規である場合に作成される編集情報とスケジュール情報のフォーマット図を示す。
【図５】本発明の電子情報表示装置によって編集情報が削除である場合に作成される編集情報とスケジュール情報のフォーマット図を示す。
【図６】本発明の電子情報表示装置によって編集情報が代替である場合に作成される編集情報とスケジュール情報のフォーマット図を示す。
【図７】本発明の電子情報表示装置によって編集情報が追加である場合に作成される編集情報とスケジュール情報のフォーマット図を示す。
【図８】本発明の電子情報表示装置において、サーバーと表示装置の動作を説明するタイムチャート図を示す。
【図９】本発明の電子情報表示装置において、表示装置が編集情報を作成する場合のタイムチャート図を示す。
【図１０】本発明の電子情報表示装置において、表示装置がスケジュール情報を編集する場合のタイムチャート図を示す。
【図１１】本発明の電子情報表示装置において、表示装置が編集情報を作成する場合のタイムチャート図を示す。
【発明を実施するための形態】
【００１３】
以下、本発明の電子情報表示装置について図面を参照して説明する。
図１は、本発明の電子情報表示装置のブロック図を示す。図１に示すように、本発明の電子情報表示装置は、サーバー１０と、複数の表示装置２０とから構成される。図１に示す電子情報表示装置は、ネットワーク４０によってサーバー１０と複数の表示装置２０を接続する場合を示すが、サーバー１０と表示装置２０が一体または近接して配置され、ネットワーク４０によって接続を必要としない場合もある。
【００１４】
サーバー１０は、コンテンツ記憶部１１、通信部１２を備える。サーバー１０は、例えば、ＨＤＤ、ＲＯＭのような記憶装置またはパーソナルコンピュータによって構成することが可能である。サーバー１０は、上記の各構成部分以外に、サーバー１０を動作させるためのソフトウエアを記憶し、このソフトウエアを読み出してサーバー１０を順次動作させる制御部などを備えるが、本発明の重要部分ではないので、図示及び説明を省略する。サーバー１０は、店舗のバックヤード、管理室などに設置され、サーバー管理者によって管理される。
【００１５】
コンテンツ記憶部１１は、ＨＤＤ、ＲＯＭ、ＲＡＭなどからなり、表示装置２０で表示するために、商品の広告、宣伝、広報用の静止画像または動画像からなる表示コンテンツ及びそのコードを、それぞれ対にして複数記憶する。このような表示コンテンツ以外に、商品の製造場所、生産地、生産者、原材料、成分表、規格表、説明書、カロリー、賞味期限、消費期限、アレルギー情報、流通経路、クーポンの有無または割引情報などの情報であってもよい。商品が食材である場合は、当該食材によって調理可能なメニュー、また当該食材に不足する栄養素、または不足する栄養素を補うお勧め食材のような情報を記憶してもよい。また、商品が服装品である場合は、その服装と組み合わせる他の服装品に関する情報であってもよい。更に、病院に設置される表示装置のために、診療科目、診療時間、担当医員、待ち時間または注意事項などの情報でもよい。更には、購入した商品の合計金額を表示したり、計算したりするサービスを提供してもよい。以上のようなコンテンツは、例示であり、全てを記憶してもよいし、一部であってもよく、表示装置の設置場所、情報表示の利用に応じて種々のコンテンツを記憶し、利用するとよい。コンテンツ記憶部１１は、外部記憶装置や通信により他のデータベースから表示コンテンツを追加したり、削除したりできることが望ましい。
コンテンツ記憶部１１は、図示しないが、必要なコンテンツを検索し、それを読み出すことができる機能を有しているものとする。
【００１６】
通信部１２は、有線または無線によりネットワーク４０を介して、サーバー１０と表示装置２０を接続し、表示装置２０からコンテンツの送信依頼を受信し、また受信した送信依頼のコンテンツを送信する。
ネットワーク４０は、店舗内、所定の地域内、または全国を接続する公衆あるいは専用ネットワーク、または構内ネットワークである。
【００１７】
表示装置２０は、１つ以上備え、店舗、売り場、病院、街頭、広場または駅などに設置される。これら設置場所は例示であり、これ以外に設置しもよい。表示装置２０は全てが同じ規格であっても、異なる規格であってもかまわない。
表示装置２０は、通信部２１、表示制御部２２、表示部２３、ユーザーインターフェイス２４及びバーコードリーダ２５、スケジュール編集部２６、スケジュール記憶部２７を備える。表示装置２０は、例えばパーソナルコンピュータによって構成することが可能であり、上記の各構成部分以外に、表示装置２０を動作させるためのソフトウエアを記憶し、このソフトウエアを読み出して表示装置２０を順次動作させる制御部などを備える。
【００１８】
上記通信部２１は、上記サーバー１０へコンテンツの送信依頼を送信する送信部と、サーバー１０からコンテンツを受信する受信部を備える。
表示制御部２２は、表示部２３にスケジュール情報に従って表示部２３にコンテンツを表示させるための制御部である。
表示部２３は、代表的には液晶表示装置よりなり、コンテンツを表示する。液晶表示装置以外に、プラズマ表示装置、または有機ＥＬ表示装置であってもかまわない。表示部２３は、図１（ｂ）に示すように、表示画面２３ａとバーコードリーダ２４を備える。また音声出力するためスピーカを備える。
バーコードリーダ２４は、商品３０に付されたバーコード３１を読取る部分である。商品にＲＦＩＤタグまたはＩＣカードが付される場合は、ＲＦＩＤリーダまたはＩＣカードリーダであってもよい。また、カメラを備え、カメラで撮影した画像（例えば、ＱＲコード）を解析して商品コードを読取ってもよい。ここで、商品３０は、当該商品に付されたタグ、包装、カタログ、商品リストを含む総称であり、より詳細には、当該商品のバーコード、ＲＦＩＤタグあるいはＩＣカードが付されたものである。
ユーザーインターフェイス２５は、タッチパネル、スキャナ装置、テンキー、キーボード、決定キーまたはマウスよりなり、コンテンツの新規表示、削除、代替表示、または追加表示のような編集情報を入力する部分である。
バーコードリーダ２４及びユーザーインターフェイス２５は、表示装置２０の入力部を構成し、バーコードリーダ、ＲＦＩＤリーダ、またはＩＣカードリーダ、タッチパネル、スキャナ装置、テンキー、キーボード、マウスは全部備えてもよいが、バーコードリーダ２４とタッチパネルのように一部を備えるだけであってもかまない。
【００１９】
スケジュール編集部２６は、ＲＡＭのような書換可能な一時記憶装置よりなり、店長、店員など表示装置２０の管理者がバーコードリーダ２４及びユーザーインターフェイス２５を使用して入力した編集情報に従い、表示装置に表示するコンテンツ及びコンテンツの表示順序または表示時間を決定するスケジュール情報を編集する。このスケジュール編集部２６は、管理者が入力する外に、顧客がバーコードリーダ２４及びユーザーインターフェイス２５から入力した編集情報に基づいてコンテンツの新規表示、削除、代替表示または追加表示のようなスケジュール情報を自動的に作成する。
スケジュール記憶部２７は、ＨＤＤ、ＲＯＭ、ＲＡＭなどの記憶装置よりなり、スケジュール情報及びサーバー１０から送信されたコンテンツを記憶する。
【００２０】
本発明の電子情報表示装置は、以上の構成よりなり、表示装置２０は、管理者または顧客によって入力された編集情報に従いスケジュール情報Ａを作成する。
スケジュール情報Ａは、図２に示すようなデータフォーマットよりなり、コンテンツａ１〜ａ５の再生順を指示する再生順の欄、各コンテンツに付されたバーコードを記憶するバーコード欄、各コンテンツの識別コードを記憶するコンテンツ欄を有する。バーコード欄とコンテンツ欄は、同一のコンテンツ情報を指しているので、データとしてはどちらか一方でもよいし、照合のため両方を備えてもよい。コンテンツ欄に挿入されるコンテンツａ１〜コンテンツａ５は、コンテンツの識別情報のような属性情報を指す。コンテンツａ１〜コンテンツａ５に対応するコンテンツは、サーバー１０のコンテンツ記憶部１１に記憶されており、必要に応じて表示装置２０からサーバー１０へ送信依頼して、これを受信しスケジュール記憶部２７に記憶されているものとする。例えば、図２は、スケジュール情報は、再生順１〜５に、コンテンツａ１〜コンテンツａ５があり、各コンテンツに付されたバーコードは「０００００００１」〜「０００００００５」であることを示す。図２は、再生順を設定するが、再生時間を設定してもよい。
このようなスケジュール情報Ａは、バーコードリーダ２４及びユーザーインターフェイス２５を用いて、コンテンツの表示順序を順次指定することにより作成することができる。またはコンテンツリストを表示部２３に表示させ、コンテンツの表示順序または表示時間を順次指定することにより作成することができる。
なお、この実施形態では、表示装置２０で、スケジュール情報Ａを作成する場合を説明したが、スケジュール情報Ａはサーバー１０で作成して、それを各表示装置２０へ送信するようにしてもかまわない。以下には、サーバー１０または表示装置２０でスケジュール情報を作成したとして説明する。
【００２１】
表示装置２０は、表示装置２０により作成したスケジュール情報Ａに基づいて、必要なコンテンツをサーバー１０へ送信依頼する。サーバー１０は、表示装置２０からコンテンツの送信依頼があると、対応するコンテンツをコンテンツ記憶部１１から読み出して、通信部１１によって表示装置２０へ送信する。コンテンツはコンテンツ記憶部１１から読み出し、圧縮して送信するとよい。
そして、表示装置２０はサーバー１０からコンテンツを受信する。この受信の際に、通信部２１は当該表示装置の認識コードを識別して受信する。表示制御部２２は、スケジュール記憶部２６に記憶されたスケジュール情報Ａを読み出し、スケジュール情報Ａに従って、コンテンツａ１からコンテンツａ５に対応するコンテンツを順次表示部２３に表示させる。あるいは再生時間に従って各コンテンツを表示する。
ここでは、サーバー１０へコンテンツの送信依頼をして、サーバー１０から受信したコンテンツをスケジュール情報Ａに従って順次表示部２３に表示させたが、コンテンツを表示装置２０の記憶部に一旦記憶し、スケジュール情報Ａに従って順次表示部２３に表示させてもよい。
【００２２】
次に、表示装置によってスケジュール情報を編集する場合を説明する。
売り場または店舗の店長または店員は、売りたい商品を表示装置２０に表示させるため、商品３０に付されたバーコード３１をバーコードリーダ２４によって読取ることにより、バーコード情報Ｂ１を得る。そして、編集方法Ｃを選択する。編集方法Ｃの選択は、ユーザーインターフェイス２５によって行う。ユーザーインターフェイス２５がタッチパネルまたはマウスである場合は、表示部２３に表示された「新規」、「削除」、「追加」または「代替」に触ることにより選択する。またユーザーインターフェイス２５がキーボードである場合は、「新規」、「削除」、「追加」または「代替」を入力する。
表示装置２０は、上記のようにして読取ったバーコード情報Ｂ１と、編集方法Ｃに基づいて編集情報Ｄを作成する。編集情報Ｄは、例えば図３に示すように、領域ＤＡ、領域ＤＢ及び領域ＤＣを有するデータフォーマットよりなる。図３の編集情報は、領域ＤＡに商品に付されたバーコードを読取って得たバーコード情報Ｂ１が挿入される。領域ＤＢは、編集方法が挿入される領域であり、「新規」、「削除」、「追加」、「代替」の４つの何れかの情報が挿入される。領域ＤＣは、編集方法が代替の場合に使用される領域であり、代替される商品のバーコード情報Ｂ２が挿入される。バーコード情報Ｂ２は、代替される商品に付されたバーコードを読取るか、コンテンツを選択することにより入力する。
【００２３】
例えば、編集方法Ｃが「新規」である場合、図４(ａ)に示す編集情報Ｄ１が作成される。図４（ａ）に示すように、商品に付されたバーコードを読取ることによって取得したバーコード情報Ｂ１「０００００００６」は、データフォーマットの領域ＤＡに挿入される。そして、「新規」と入力された編集情報Ｃはデータフォーマットの領域ＤＢに挿入される。編集方法が新規である場合は、代替するコンテンツがないので、データフォーマットの領域ＤＣは空欄である。
このようにして作成された編集情報Ｄ１は、スケジュール編集部２６によって図４（ｂ）に示すようなスケジュール情報Ａ１を作成する。即ち、スケジュール編集部２６は、バーコード情報「０００００００６」をサーバー１０へ送信し、コンテンツｂ１の送信要求する。サーバー１０はコンテンツ記憶部１１からコンテンツｂ１を抽出し、コンテンツｂ１を取得し、これを表示装置２０へ送信する。そして、スケジュール編集部２６は、再生順「１」、バーコード「００００００６」、コンテンツＡ１「コンテンツｂ１」よりなるスケジュール情報Ａ１を作成する。
【００２４】
編集方法Ｃが「削除」である場合、図５(ａ)に示す編集情報Ｄ２が作成される。図５（ａ）に示すように、商品に付されたバーコードを読取ることによって取得したバーコード情報Ｂ１は、データフォーマットの領域ＤＡに挿入される。そして、「削除」と入力された編集情報はデータフォーマットの領域ＤＢに挿入される。編集方法が削除である場合は、代替するコンテンツがないので、データフォーマットの領域ＤＣは空欄である。
このようにして作成された編集情報Ｄ２により、スケジュール編集部２６は、図５（ｂ）に示すようなスケジュール情報Ａ２を作成する。即ち、スケジュール編集部２６は、バーコード情報「０００００００２」の再生順の欄を空欄にして、それ以降の再生順を繰り下げる。このように、再生順の欄を空欄にする以外に、コンテンツａ２を含む欄を削除してもよい。これにより、コンテンツａ２は、再生されず、コンテンツａ１、ａ２、ａ３及びａ５が順次再生される。
【００２５】
編集方法Ｃが「代替」である場合、図６(ａ)に示す編集情報Ｄ３が作成される。図６（ａ）に示すように、表示したい商品に付されたバーコードを読取ることによって取得したバーコード情報Ｂ１は、データフォーマットの領域ＤＡに挿入される。そして、「代替」と入力された編集方法Ｃはデータフォーマットの領域ＤＢに挿入される。編集方法が代替である場合は、代替される商品のバーコードを読取ったバーコード情報Ｂ２、または代替されるコンテンツを選択することにより取得したコンテンツ情報Ｂ２を、データフォーマットの領域ＤＣに挿入する。
このようにして作成された編集情報Ｄ３は、スケジュール編集部２６によって、図６（ｂ）に示すようなスケジュール情報Ａ３が作成される。即ち、スケジュール編集部２６は、バーコード情報「０００００００４」をバーコード情報「０００００００６」に入れ替え、コンテンツａ４をコンテンツｂ１に入れ替える。そして、スケジュール編集部２６は、バーコード情報「０００００００６」をサーバー１０へ送信し、コンテンツｂ１の送信要求する。サーバー１０はコンテンツ記憶部１１からコンテンツｂ１を抽出し、コンテンツｂ１を取得し、これを表示装置２０へ送信する。そして、スケジュール編集部２６は、バーコード情報を「００００００６」に変え、コンテンツｂ１に変えてスケジュール情報Ａ３を作成する。
【００２６】
編集方法Ｃが「追加」である場合、図７（ａ）に示す編集情報Ｄ４が作成される。図７（ａ）に示すように、商品に付されたバーコードを読取ることによって取得したバーコード情報Ｂ１は、データフォーマットの領域ＤＡに挿入される。そして、「追加」と入力された編集方法Ｃはデータフォーマットの領域ＤＢに挿入される。編集方法Ｃが追加である場合は、代替するコンテンツがないので、データフォーマットの領域ＤＣは空欄である。
このようにして作成された編集情報Ｄ４によって、スケジュール編集部２６は、図２（ｆ）に示すようなスケジュール情報Ａ４を作成する。即ち、スケジュール編集部２６は、バーコード情報「０００００００６」を再生順６としてバーコード情報と、そのコンテンツｂ１をコンテンツの欄に加える。そして、スケジュール編集部２６は、バーコード情報「０００００００６」をサーバー１０へ送信し、コンテンツｂ１の送信要求する。サーバー１０はコンテンツ記憶部１１からコンテンツｂ１を抽出し、コンテンツｂ１を取得し、これを表示装置２０へ送信する。そして、スケジュール編集部２６は、再生順６にコンテンツｂ１を加えてスケジュール情報Ａ４を作成する。
この追加の場合、再生順６に追加したが、表示部２０で再生順番を入力することによって再生順１〜５の何れかに順位を指定して追加してもよい。
【００２７】
以上には、店員または店舗の責任者が表示装置から編集情報Ｄを作成する場合を説明したが、顧客が編集情報を作成してもよい。本発明のサーバーは、コンテンツ記憶部１１に、商品の広告、宣伝、広報用の静止画像または動画像の外に、商品の製造場所、生産地、生産者、原材料、成分表、規格表、説明書、カロリー、賞味期限、消費期限、アレルギー情報、流通経路、クーポンの有無、割引情報、当該食材によって調理可能なメニュー、当該食材に不足する栄養素、不足する栄養素を補うお勧め食材、当該服装と組み合わせる他の服装品情報、当該病院の診療科目、診療時間、担当医員、待ち時間または注意事項、購入した商品の合計金額、計算サービスなどの情報も記憶しているので、これらの情報を表示させるため、「詳細情報の表示」の選択画面を表示し、選択できるようにする。「詳細情報の表示」を選択した場合は、詳細情報の項目を表示し、これを選択するようにする。また、編集後、元のＰＯＰ表示に戻ることができるように、編集情報として「戻る」を表示し、これを選択できるようにする。
また、上記では商品コードは、バーコードリーダによって読取ったが、商品にＲＦＩＤタグが付されている場合は、ＲＦＩＤリーダを使用し、ＩＣカードが付されている場合はＩＣカードリーダを使用するとよい。また、ＱＲコードが付されている場合はカメラで撮像し、画像解析して読取るとよい。
【００２８】
以上のようにして作成された新しいスケジュール情報Ａ１〜Ａ４に基づき、表示装置２０は、サーバー１０ヘコンテンツの送信依頼する。サーバー１０はコンテンツ記憶部１１から送信依頼されたコンテンツを読み出し、圧縮して送信する。表示装置２０はサーバー１０からコンテンツを受信して、表示制御部２２がスケジュール記憶部２６に記憶されたスケジュール情報Ａに従って、コンテンツａ１からコンテンツａ５に対応するコンテンツを順次表示部２３に表示させる。あるいは再生時間に従って各コンテンツを表示する。
【００２９】
図８は、表示装置２０とサーバー１０のフローチャートを示す。
図８に示すように、ステップＳ１では、表示装置２０はスケジュール情報Ａを確認し、表示するコンテンツを決定する。ステップＳ２は、ステップＳ１で決定されたコンテンツをサーバー１０へ送信依頼する。
次に、ステップＳ３は、サーバー１０が表示装置１０よりコンテンツの送信依頼を受信する。ステップＳ４は、送信依頼されたコンテンツをコンテンツ記憶部１１より読み出す。そして、ステップＳ５では、読み出されたコンテンツを送信依頼のあった表示装置１０へ送信する。
ステップＳ６は、表示装置２０がサーバー１０から送信されたコンテンツを受信する。そして、ステップＳ７で、表示装置２０は表示部２３にコンテンツを表示する。
【００３０】
図９は、表示装置２０で編集情報を作成するフローチャートを示す。
表示装置２０は、ステップＳ１１で、商品３０に付されたバーコード３１を読取る。これによりバーコード情報Ｂ１を取得する。次にステップＳ１２で、表示部２３に編集画面を表示する。例えば、表示画面は、図９中に示すように、「１．新規」、「２．削除」、「３．代替」、「４．追加」、「５．詳細情報の表示」または「６．戻る」を表示し、「何れかの番号を選択して下さい」を表示する。ステップＳ１３で、マウスまたはタッチパネルを使用して編集方法Ｃを選択する。ステップＳ１２、Ｓ１３のように編集画面を表示するのに代えて、直接キーボードから編集方法Ｃを入力するようにしてもよい。「詳細情報の表示」及び「戻る」は、「新規」、「削除」、「代替」、または「追加」とともに選択してもよい。
編集方法Ｃが代替である場合、ステップＳ１４は、ＹＥＳと判断し、ステップＳ１５で、代替される商品のバーコードを読取り、バーコード情報Ｂ２を取得する。次にステップＳ１６では、ステップＳ１１で取得したバーコード情報Ｂ１と、ステップＳ１５で代替される商品から読取られたバーコード情報Ｂ２を元にして、図６に示した編集情報Ｄ３を作成する。
【００３１】
編集方法Ｃが代替でない場合、即ち新規、削除、追加である場合は、ステップＳ１４はＮＯと判断し、ステップＳ１７では、ステップＳ１１で取得したバーコード情報Ｂ１と、ステップＳ１３で入力された編集方法Ｃ（新規、削除、追加）を元にして、図４、図５または図８に示した編集情報Ｄ１、Ｄ２またはＤ４を作成する。
【００３２】
図１０は、表示装置２０でスケジュール情報を作成するフローチャートを示す。
図１０に示すように、ステップＳ２１では、表示装置２０は、スケジュール記憶部２７に記憶されているスケジュール情報Ａを確認する。このスケジュール情報Ａは、例えば、図２に示すスケジュール情報である。ステップＳ２２では、サーバー１０へ送信するコンテンツ情報を決定する。次にステップＳ２３では、スケジュール情報Ａをスケジュール編集部２６に送信する。
【００３３】
ステップＳ２４では、バーコードリーダ２４及びユーザーインターフェイス２５から編集情報Ｄを受信する。ステップＳ２５では、編集情報の有無を判断する。編集情報ＤがなければステップＳ２１に戻る。編集情報Ｄがあれば、ステップＳ２６に移行し、スケジュール編集部２６は、編集情報Ｄに含まれるバーコード情報Ｂ１を使用して、対応するコンテンツｂ１を取得する。編集情報が「代替」である場合は、データフォーマットの領域ＤＣに含まれるバーコード情報Ｂ２に対応するコンテンツａ４も取得する。
次に、ステップＳ２７では、現在のスケジュール情報Ａを読み込む。そして、ステップＳ２８では、スケジュール情報Ａを編集する。ステップＳ２８のスケジュール情報の編集は図１１を用いて説明する。その後、ステップＳ２９では、編集方法に「戻る」が選択された場合は、所定時間経過後、ステップＳ２１に戻る。
【００３４】
図１１は、スケジュール編集部２６の編集処理を説明するフローチャートである。
上記ステップＳ２８は、ステップＳ３１〜Ｓ３７のように処理される。即ち、ステップＳ３１は、図１０のステップＳ２８に含まれる編集情報Ｄが新規、削除、代替、追加の何れかを判断する。新規の場合は、ステップＳ３６に移行する。削除の場合は、ステップＳ３７に移行する。代替の場合は、ステップＳ３２〜Ｓ３４に移行する。追加の場合は、ステップＳ３５に移行する。
【００３５】
新規の場合は、編集情報Ｄ１であるので、ステップＳ３６に移行し、スケジュール情報Ａに含まれる全てのコンテンツ情報ａ１〜ａ５を削除し、ステップＳ３５に移行する。ステップＳ３５は、スケジュール情報Ａに図１０のステップＳ２６で取得したコンテンツｂ１を挿入する処理である。この処理により、図４（ｂ）に示す新たなスケジュール情報Ａ１が作成される。
【００３６】
削除の場合は、編集情報Ｄ２であるので、ステップＳ３７に移行し、スケジュール情報Ａに含まれるコンテンツ情報ａ１〜ａ５から、図１０のステップＳ２６で取得したコンテンツａ２の再生順を削除する。または、コンテンツａ２を含む欄を削除する。この処理により、図５（ｂ）に示す新たなスケジュール情報Ａ２が作成される。
【００３７】
代替の場合は、編集情報Ｄ３であるので、ステップＳ３２に移行し、図１０のステップＳ２６のコンテンツｂ１を取得する。次に、ステップＳ３３では、スケジュール情報Ａにコンテンツｂ１を挿入する。そして、ステップＳ３４では、スケジュール情報のコンテンツａ４を削除する。この処理により、図６（ｂ）に示す新たなスケジュール情報Ａ３が作成される。
【００３８】
追加の場合は、編集情報Ｄ４であるので、ステップＳ３５に移行し、図１０のステップＳ２６のコンテンツｂ１を取得し、スケジュール情報Ａにコンテンツｂ１を挿入する。この処理により、図７（ｂ）に示す新たなスケジュール情報Ａ４が作成される。
【００３９】
ステップＳ２４で受信した編集情報が「詳細情報の表示」である場合、詳細情報の表示項目をキーワードとして、サーバー１０へ送信する。サーバー１０は受信したキーワードに基づきコンテンツ記憶部１１を検索し、要求された詳細情報の項目に対応する情報を抽出する。そして、詳細情報の項目に対応する情報を表示装置２０へ送信する。表示装置２０はサーバー１０から送信された詳細情報の項目に対応する情報を、例えばスケジュール情報のコンテンツ欄に挿入するように編集する。これにより、詳細情報を表示させるための新たなスケジュール情報が作成される。そして、この詳細情報を表示部２３に表示する。
【００４０】
以上のようにして、新たなスケジュール情報Ａが作成されると、次のステップＳ２９へ移行する。
【符号の説明】
【００４１】
１０  サーバー
１１  コンテンツ記憶部
１２  通信部
２０  表示装置
２１  通信部
２２  表示制御部
２３  表示部
２４  バーコードリーダ
２５  ユーザーインターフェイス
２６  スケジュール編集部
２７  スケジュール記憶部
３０  商品
３１  バーコード
【図１】
2011034193.tif 000003
【図２】
2011034193.tif 000004
【図３】
2011034193.tif 000005
【図４】
2011034193.tif 000006
【図５】
2011034193.tif 000007
【図６】
2011034193.tif 000008
【図７】
2011034193.tif 000009
【図８】
2011034193.tif 000010
【図９】
2011034193.tif 000011
【図１０】
2011034193.tif 000012
【図１１】
2011034193.tif 000013